(57)【特許請求の範囲】
【請求項１】
光カットスルーパスを設定する手段を備えたノードと、３Ｒ(Reshaping;Retiming;Regenerating)処理する手段を備えた光クロスコネクトとを備えた光パスネットワークにおいて、
前記光クロスコネクトは、光信号が到来する入力伝送路を収容する入力ポートと、この入力ポートから入力された光信号の波長をその宛先に対応する波長に波長変換する波長変換手段と、この波長変換手段により波長変換された光信号が出力される出力伝送路を収容する出力ポートとを備え、一部の前記出力ポートとこの出力ポートに収容される前記出力伝送路との間に３Ｒ処理する手段が介挿され、
前記ノードは、前記光カットスルーパスを設定する場合に、距離が長いために途中で３Ｒ処理を行う必要があるときには、前記３Ｒ処理する手段の波長により光カットスルーパスを設定し、３Ｒ処理を行う必要がないときは、前記３Ｒ処理する手段の波長ではない波長により光カットスルーパスを設定する手段を含む
ことを特徴とする光パスネットワーク。
【請求項２】
光信号が到来する入力伝送路を収容する入力ポートと、この入力ポートから入力された光信号の波長をその宛先に対応する波長に波長変換する波長変換手段と、この波長変換手段により波長変換された光信号が出力される出力伝送路を収容する出力ポートとを備え、一部の前記出力ポートとこの出力ポートに収容される前記出力伝送路との間に３Ｒ処理する手段が介挿された光クロスコネクトを備えた光ネットワークでの光カットスルーパスの設定方法であって、
発側ノードおよび着側ノードとの間の光カットスルーパスの波長として、途中で３Ｒ処理が必要な場合は、前記クロスコネクトの出力ポートと出力伝送路との間に介挿された３Ｒ処理手段が処理する波長を用い、３Ｒ処理が必要がないときは前記３Ｒ処理手段の波長ではない波長で光カットスルーパスを用いる
ことを特徴とする光カットスルーパスの設定方法。
【発明の詳細な説明】
【０００１】
【発明の属する技術分野】
本発明は光通信に利用する。特に、３Ｒ(Reshaping;Retiming;Regenerating)処理技術に関する。
【０００２】
【従来の技術】
ＩＰ(Internet Protocol)網では、ＩＰパケットのヘッダ情報を読み取り、ＩＰアドレスに基づきルーティングが行われる（以下ではＩＰ転送と呼ぶ）。光パスネットワークにおけるＩＰ転送では、一連の大量のデータ（以下ではバーストデータと呼ぶ）を多数のＩＰパケットに分割して転送する際に、一つ一つのＩＰパケットのヘッダ情報を読み取るために、光信号をいったん電気信号に変換する必要がある。このような変換処理を省略してバーストデータを高速に転送するために、発側のノードと着側のノードとの間にカットスルーパスを設定するバーストデータの転送方法がある。すなわち、カットスルーパスでは、バーストデータを構成する多数のＩＰパケットのヘッダ情報を読み取る必要がないため、光信号をそのまま転送でき、バーストデータ転送を高速に行うことができる。
【０００３】
この際に、発側のノードと着側のノードとの間の距離が長いと、光信号の損失または信号品質の劣化が生じる。したがって、長距離のカットスルーパスを設定する場合には、途中で３Ｒ処理を必要とする。
【０００４】
本明細書における発側のノードおよび着側のノードとは、データ転送に先立ってパス設定のためのリクエストを送出する側のノードを発側のノードといい、このリクエストの終端先となるノードを着側のノードという。パス設定後におけるデータ転送の際には、発側のノードまたは着側のノードのいずれもがデータ発信元またはデータ受信先になることができる。また、設定されたパスは、単方向パスであっても双方向パスであってもよい。
【０００５】
従来の３Ｒ処理構成を図４を参照して説明する。従来、カットスルーパスを設定する際には、光パスネットワークにおける損失または信号品質劣化を招くさまざまな要因を考慮してカットスルーパス上の３Ｒ処理を施す箇所を計算する。その箇所では、図４に示すように、波長変換部１０の出力ポートに設けられた３Ｒ用トランク２０により３Ｒ処理が施される。
【０００６】
【発明が解決しようとする課題】
従来の３Ｒ処理構成では、３Ｒ処理を行うために、２回の波長変換を必要とする。すなわち、３Ｒ処理を必要とする光パスが接続された入力ポートの波長を３Ｒ用トランクに接続された出力ポートの波長に変換し、３Ｒ用トランクで３Ｒ処理を施した後に、３Ｒ用トランクに接続された入力ポートの波長を所定の出力ポートの波長に変換する。
【０００７】
このように２回の波長変換を必要とするため、光信号の損失または劣化が生じる問題がある。すなわち、光信号の損失または劣化を補うための３Ｒ処理であり、その３Ｒ処理に伴う光信号の損失または劣化は極力抑えられることが望ましいが、従来の３Ｒ処理構成では、その要件を満足するには至らない。
【０００８】
さらに、光クロスコネクトの入力ポートおよび出力ポートの一部を３Ｒ用トランクが占有する必要があり、ポートの有効利用を妨げる問題がある。
【０００９】
本発明は、このような背景に行われたものであって、３Ｒ処理に伴う光信号の損失または劣化を抑えることができ、また、ポートを有効に利用することができる光クロスコネクトおよび光パスネットワークを提供することを目的とする。
【００１０】
【課題を解決するための手段】
本発明の第一の観点は光クロスコネクトであって、本発明の特徴とするところは、光信号が到来する入力伝送路を収容する入力ポートと、この入力ポートから入力された光信号の波長をその宛先に対応する波長に波長変換する波長変換手段と、この波長変換手段により波長変換された光信号が出力される出力伝送路を収容する出力ポートとを備え、少なくとも一部の前記出力ポートとこの出力ポートに収容される前記出力伝送路との間には、３Ｒ処理する手段が介挿されたところにある。
【００１１】
すなわち、本発明は、３Ｒ用トランクを出力ポートとこの出力ポートに収容される出力伝送路との間に介挿することにより、３Ｒ処理に伴う波長変換数を減らすことができ、また、３Ｒ用トランクが直接出力伝送路に接続されており、３Ｒ用トランクを設けることによりポートが占有されることを回避することができる。これにより、３Ｒ処理に伴う光信号の損失または劣化を抑えることができ、また、ポートを有効に利用することができる。
【００１２】
本発明の第二の観点は、本発明の光クロスコネクトを備えたことを特徴とする光パスネットワークである。
【００１３】
【発明の実施の形態】
本発明実施例の光クロスコネクトを図１および図２を参照して説明する。図１は本実施例の光クロスコネクトの構成図である。図２は本実施例の光クロスコネクトの動作を説明するための図である。
【００１４】
本実施例は光クロスコネクトであって、本実施例の特徴とするところは、図１に示すように、光信号が到来する入力伝送路を収容する入力ポートＩ１〜Ｉ５と、この入力ポートＩ１〜Ｉ５から入力された光信号の波長をその宛先に対応する波長に波長変換する波長変換部１０と、この波長変換部１０により波長変換された光信号が出力される出力伝送路を収容する出力ポートＯ１〜Ｏ５とを備え、一部の出力ポートＯ１およびＯ２とこの出力ポートＯ１およびＯ２に収容される前記出力伝送路との間には、３Ｒ用トランク２１および２２が介挿されたところにある。
【００１５】
本実施例の光クロスコネクトは、図２に示すように、入力ポートＩ１〜Ｉ５に、それぞれ波長λ１〜λ５の光信号が入力される。これらの光信号は、その宛先方路にしたがって、波長変換部１０により波長変換され、出力ポートＯ１〜Ｏ５からそれぞれ波長λ１〜λ５の光信号として出力される。
【００１６】
図２の例では、出力ポートＯ１およびＯ２に３Ｒ用トランク２１および２２が接続されており、入力ポートＩ１から入力された波長λ１の光信号は、そのまま波長変換を施されず、波長λ１の出力ポートＯ１から出力されて３Ｒ用トランク２１により３Ｒ処理を施される。また、入力ポートＩ３から入力された波長λ３の光信号は、波長変換部１０により波長λ２に波長変換を施され、波長λ２の出力ポートＯ２から出力されて３Ｒ用トランク２２により３Ｒ処理を施される。
【００１７】
すなわち、図２に示す本実施例の光クロスコネクトを用いた光パスネットワークでは、距離が長く途中で３Ｒ処理を必要とするカットスルーパスを設定する際には、波長λ１またはλ２が宛先方路となるように波長を選択する。これにより、図２の光クロスコネクトをカットスルーパスが通過する際に、３Ｒ処理が施される。この際の波長変換回数は、光クロスコネクトにおける通常の１回の波長変換だけであり、３Ｒ処理を施すための特別な波長変換は必要としない。
【００１８】
本実施例の光クロスコネクトの光パスネットワークにおける実際の運用方法について図３を参照して説明する。図３は本実施例の光クロスコネクトの運用方法を説明するための図である。図３の例では、発側のノード３１が波長λ１の光パスにより接続されている。このときに、発側のノード３１から着側のノード４１にカットスルーパスを設定する際には、距離が長いために途中で３Ｒ処理を必要とするという計算結果が出たとすると、発側のノード３１では、着側のノード４１に対し、波長λ１またはλ２によりカットスルーパスを設定する旨をあらかじめ連絡する。この連絡を受けたノード４１では、波長λ１またはλ２によりカットスルーパスの受け入れを了承するとその旨をノード３１に対して連絡する。この連絡を受け取ったノード３１では、波長λ１またはλ２によりノード４１に対するカットスルーパスを設定する。これにより、発側のノード３１と着側のノード４１との間に、光クロスコネクトで３Ｒ処理を施すカットスルーパスが設定される。
【００１９】
また、発側のノード３１から着側のノード４２にカットスルーパスを設定する際には、距離が短いために途中で３Ｒ処理を必要としないという計算結果が出たとすると、発側のノード３１では、着側のノード４２に対し、波長λ１またはλ２以外の波長（ここではλ３）によりカットスルーパスを設定する旨をあらかじめ連絡する。この連絡を受けたノード４２では、波長λ３によりカットスルーパスの受け入れを了承するとその旨をノード３１に対して連絡する。この連絡を受け取ったノード３１では、波長λ３によりノード４２に対するカットスルーパスを設定する。これにより、発側のノード３１と着側のノード４２との間に、光クロスコネクトで３Ｒ処理を施さないカットスルーパスが設定される。
【００２０】
【発明の効果】
以上説明したように、本発明によれば、３Ｒ処理に伴う光信号の損失または劣化を抑えることができ、また、ポートを有効に利用することができる。
【図面の簡単な説明】
【図１】本発明実施例の光クロスコネクトの構成図。
【図２】本発明実施例の光クロスコネクトの動作を説明するための図。
【図３】本発明実施例の光クロスコネクトの運用を説明するための図。
【図４】従来の３Ｒ処理構成を示す図。
【符号の説明】
１０  波長変換部
２０〜２２  ３Ｒ用トランク
３１、４１、４２  ノード
Ｉ１〜Ｉ５  入力ポート
Ｏ１〜Ｏ５  出力ポート
【図１】
0003784733.tif 000002
【図２】
0003784733.tif 000003
【図３】
0003784733.tif 000004
【図４】
0003784733.tif 000005